(57)【要約】【課題】  清掃性、耐久性および高級感に優れ且つ所要の全体剛性を有する軽量なキャビネットを備えた洗面化粧台。【解決手段】  本発明で洗面化粧台は、洗面ボウルと、この洗面ボウルの下方に設けられたキャビネットとを備えている。キャビネットの側板（２３）は、側板用芯材（２４）をステンレス板（２５ａ，２５ｂ）で挟むステンレスサンドイッチ構造を有し、側板用芯材の上端面（２４ａ）には溝（２４ｂ）が形成されている。洗面ボウルは、側板用芯材の溝に係合するように形成された側板用リブ（１７）を有する。【選択図】  図６
2008132191.tif 000002
【特許請求の範囲】
【請求項１】
洗面ボウルと、該洗面ボウルの下方に設けられたキャビネットとを備えた洗面化粧台において、
前記キャビネットの側板は、側板用芯材をステンレス板で挟むステンレスサンドイッチ構造を有し、前記側板用芯材の上端面には溝が形成され、
前記洗面ボウルは、前記側板用芯材の前記溝に係合するように形成された側板用リブを有することを特徴とする洗面化粧台。
【請求項２】
前記側板用芯材の外側のステンレス板は前記側板用芯材の前端面を覆うように取り付けられ、前記側板用芯材の内側のステンレス板は前記側板用芯材の上端面の一部を覆うように取り付けられていることを特徴とする請求項１に記載の洗面化粧台。
【請求項３】
前記キャビネットの背板は、背板用芯材をステンレス板で挟むステンレスサンドイッチ構造を有することを特徴とする請求項１または２に記載の洗面化粧台。
【請求項４】
前記キャビネットの前板の上端面と前記側板の内側面とに取り付けられてほぼ鉛直方向に作用する第１補強部材と、前記前板の内側面と前記側板の内側面とに取り付けられてほぼ水平方向に作用する第２補強部材とをさらに備えていることを特徴とする請求項１乃至３のいずれか１項に記載の洗面化粧台。
【発明の詳細な説明】
【技術分野】
【０００１】
本発明は、洗面化粧台に関するものである。
【背景技術】
【０００２】
従来、洗面ボウルと、この洗面ボウルの下方に設けられたキャビネットとを備えた洗面化粧台が知られている（たとえば特許文献１を参照）。
【０００３】
【特許文献１】特開２００４−５７６２３号公報
【発明の開示】
【発明が解決しようとする課題】
【０００４】
洗面化粧台では、キャビネットの清掃性、耐久性（耐水性、耐候性）、および高級感を向上させるために、キャビネットの側板および背板などをステンレス板で覆うことが望ましい。しかしながら、単にキャビネットの側板および背板などをステンレス板で覆う構成では、所要の全体剛性を確保しつつ軽量なキャビネットを実現することは困難である。
【０００５】
本発明は、前述の課題に鑑みてなされたものであり、清掃性、耐久性および高級感に優れ且つ所要の全体剛性を有する軽量なキャビネットを備えた洗面化粧台を提供することを目的とする。
【課題を解決するための手段】
【０００６】
前記課題を解決するために、本発明では、洗面ボウルと、該洗面ボウルの下方に設けられたキャビネットとを備えた洗面化粧台において、
前記キャビネットの側板は、側板用芯材をステンレス板で挟むステンレスサンドイッチ構造を有し、前記側板用芯材の上端面には溝が形成され、
前記洗面ボウルは、前記側板用芯材の前記溝に係合するように形成された側板用リブを有することを特徴とする洗面化粧台を提供する。
【０００７】
本発明の好ましい態様によれば、前記側板用芯材の外側のステンレス板は前記側板用芯材の前端面を覆うように取り付けられ、前記側板用芯材の内側のステンレス板は前記側板用芯材の上端面の一部を覆うように取り付けられている。また、前記キャビネットの背板は、背板用芯材をステンレス板で挟むステンレスサンドイッチ構造を有することが好ましい。また、前記キャビネットの前板の上端面と前記側板の内側面とに取り付けられてほぼ鉛直方向に作用する第１補強部材と、前記前板の内側面と前記側板の内側面とに取り付けられてほぼ水平方向に作用する第２補強部材とをさらに備えていることが好ましい。
【発明の効果】
【０００８】
本発明の洗面化粧台では、キャビネットの側板が、例えばフレーム状の側板用芯材をステンレス板で挟むステンレスサンドイッチ構造を有する。したがって、本発明では、キャビネットの軽量性を維持しつつ、清掃性、耐久性（耐水性、耐候性）、および高級感を確保することができる。
【０００９】
また、本発明の洗面化粧台では、側板用芯材の上端面に溝が形成され、洗面ボウルは側板用芯材の溝に係合するように形成された側板用リブを有する。したがって、本発明では、溝とリブとの係合により一対の側板と洗面ボウルとが一体的に連結され、ひいては洗面ボウルの剛性を利用してキャビネットの全体剛性を向上させることができる。すなわち、本発明では、清掃性、耐久性および高級感に優れ且つ所要の全体剛性を有する軽量なキャビネットを備えた洗面化粧台を実現することができる。
【００１０】
なお、本発明では、側板用芯材の外側のステンレス板は側板用芯材の前端面を覆うように取り付けられ、側板用芯材の内側のステンレス板は側板用芯材の上端面の一部を覆うように取り付けられていることが好ましい。この構成により、側板用芯材の外側および内側をステンレス板で覆いつつ、側板用リブと溝との係合を確実に実現することができる。
【００１１】
また、本発明では、キャビネットの背板が、例えばフレーム状の背板用芯材をステンレス板で挟むステンレスサンドイッチ構造を有することが好ましい。この構成により、キャビネットの軽量性を維持しつつ、清掃性、耐久性および高級感をさらに向上させることができる。
【００１２】
また、本発明では、キャビネットの前板の上端面と側板の内側面とに取り付けられてほぼ鉛直方向に作用する第１補強部材と、前板の内側面と側板の内側面とに取り付けられてほぼ水平方向に作用する第２補強部材とをさらに備えていることが好ましい。この構成により、一対の側板と前板との連結を補強して、キャビネットの全体剛性をさらに向上させることができる。
【発明を実施するための最良の形態】
【００１３】
本発明の実施形態を、添付図面に基づいて説明する。図１は、本発明の実施形態にかかる洗面化粧台の全体構成を概略的に示す斜視図である。図２は、図１の中央縦断面図である。図１および図２を参照すると、本実施形態の洗面化粧台は、洗面ボウル１０と、洗面ボウル１０の下方に設けられたキャビネット２０とを備えている。
【００１４】
洗面ボウル１０は、その中央に設けられた洗面ボウル本体１１と、洗面ボウル本体１１の右側に配置された右側カウンター１２Ｒと、洗面ボウル本体１１の左側に配置された左側カウンター１２Ｌとを備えている。右側カウンター１２Ｒと左側カウンター１２Ｌとは互いに同じ高さ位置に、すなわち洗面ボウル本体１１の上端よりも実質的に高い位置に設けられている。
【００１５】
洗面ボウル本体１１と左側カウンター１２Ｌとの間には、左側補助カウンター１３Ｌが設けられている。洗面ボウル本体１１の底部には、排水口１１ａが設けられている。洗面ボウル本体１１の後壁１１ｂの上部には、いわゆる水栓ユニットとして、図１中左側から順に、排水口操作部１４と、吐水部の取付け孔１５と、吐水調節部の取付け孔１６とが設けられている。排水口操作部１４は、洗面ボウル本体１１の排水口１１ａの開閉を操作する機能を有する。
【００１６】
吐水部は、洗面ボウル本体１１へ水を吐出する吐水口（吐水部）を有し、洗面ボウル本体１１への吐水を行う機能を有する。吐水調節部は、給水配管から供給される常温水と給湯配管から供給される高温水とを混合することにより吐水口から洗面ボウル本体１１へ吐出される水の温度を調節する機能を有する。キャビネット２０は、前面パネル２１ａを有する上段の引出し収納部２１と、前面パネル２２ａを有する下段の引出し収納部２２とを備えている。
【００１７】
図３（ａ）は洗面ボウルの平面図であり、（ｂ）は（ａ）の線Ａ−Ａに沿った断面図である。図４（ａ）は図３（ａ）の線Ｂ−Ｂに沿った断面図であり、（ｂ）は図４（ａ）のＡ部の拡大図である。図３および図４を参照すると、洗面ボウル１０の両側には、前後方向に沿って延びる一対のリブ１７が設けられている。この一対のリブ１７は、後述するように、側板用芯材２４の溝２４ｂに係合するように形成されている。
【００１８】
図５は、側板用芯材の構成を概略的に示す図である。図６は、側板用芯材の上端面の溝、外側ステンレス板の取付け状態、および側板と前板との連結などを示す斜視図である。図７は、側板用芯材の外側を覆う外側ステンレス板の構成を概略的に示す図であって、（ａ）は外側ステンレス板を内側から見た正面図を、（ｂ）は側面図を、（ｃ）は上面図を示している。図８は、外側ステンレス板を外側から見た正面図である。
【００１９】
本実施形態では、キャビネット２０の側板２３は、側板用芯材２４をステンレス板２５ａ，２５ｂで挟むステンレスサンドイッチ構造を有する。側板用芯材２４は、図５に示すように矩形フレーム状の形態を有し、例えば樹脂により形成されている。図６に示すように、側板用芯材２４の上端面２４ａには、前後方向に延びる溝２４ｂが形成されている。側板用芯材２４の溝２４ｂは、後述するように、洗面ボウル１０の一対のリブ１７と係合可能に形成されている。
【００２０】
図７および図８を参照すると、側板用芯材２４の外側を覆う外側ステンレス板２５ａは、側板用芯材２４の外側面および前端面を覆い且つ側板用芯材２４の上端面２４ａを覆わないように形成されている（図６を参照）。外側ステンレス板２５ａの内側面（側板用芯材２４と対向する面）には、側板用芯材２４に対応する領域に両面テープ（図７中斜線部で示す）２５ａａが貼付されている。
【００２１】
また、外側ステンレス板２５ａの内側面のうち、両面テープ２５ａａに囲まれた領域には、外側ステンレス板２５ａの面剛性を補強するための複数（図７中では例示的に３つ）の補剛部材２５ａｂが取り付けられている。補剛部材２５ａｂは、水平方向に細長く延びる矩形状の形態を有し、例えば樹脂により形成されている。こうして、両面テープ２５ａａの作用により、側板用芯材２４の外側に外側ステンレス板２５ａが取り付けられる。
【００２２】
なお、図示を省略したが、側板用芯材２４の内側を覆う内側ステンレス板２５ｂも、外側ステンレス板２５ａと同様の構成を有する。ただし、内側ステンレス板２５ｂは、側板用芯材２４の上端面２４ａの一部だけを覆い且つ側板用芯材２４の溝２４ｂを覆わないように形成されている。また、図示を省略したが、キャビネット２０の背板２６も側板２３と同様に、背板用芯材をステンレス板で挟むステンレスサンドイッチ構造を有する。
【００２３】
以下、図９、図１０および図１１を参照して、本実施形態にかかる洗面化粧台の現場での組立て手順を説明する。本実施形態では、図９に示すように、キャビネット２０の一対の側板２３と、背板２６と、前板（補助幕板）２７とを互いに連結する。側板２３と前板２７との連結に際して、図６に示すように、前板２７の上端面と側板２３の内側面とに取り付けられてほぼ鉛直方向に作用する第１補強部材３１と、前板２７の内側面と側板２３の内側面とに取り付けられてほぼ水平方向に作用する第２補強部材３２とを用いる。
【００２４】
また、図示を省略したが、側板２３と背板２６との連結に際して、第２補強部材３２と類似の補強部材、すなわち背板２６の内側面と側板２３の内側面とに取り付けられてほぼ水平方向に作用する補強部材を用いる。一対の側板２３と背板２６と前板２７とを互いに連結した後、上段の引出し収納部２１および下段の引出し収納部２２を組み込む。
【００２５】
次いで、図１０および図１１（ａ）に示すように、洗面ボウル１０の一対のリブ１７が一対の側板２３の溝（厳密には側板用芯材２４の溝）２４ｂとそれぞれ係合するように、キャビネット２０の上に洗面ボウル１０を載置する。そして、図１０および図１１（ｂ）に示すように、前板２７の上端部から前方へ水平に突出した取付け板２８と洗面ボウル１０の先端部分とをビスにより連結する。
【００２６】
以上のように、本実施形態では、キャビネット２０の側板２３が、矩形フレーム状の側板用芯材２４をステンレス板２５ａ，２５ｂで挟むステンレスサンドイッチ構造を有する。また、側板用芯材２４の上端面２４ａに溝２４ｂが形成され、洗面ボウル１０は側板用芯材２４の溝２４ｂに係合するように形成された側板用リブ１７を有する。したがって、キャビネット２０の軽量性を維持しつつ、清掃性、耐久性および高級感を確保することができるとともに、溝２４ｂとリブ１７との係合により一対の側板２３と洗面ボウル１０とが一体的に連結され、ひいては洗面ボウル１０の剛性を利用してキャビネット２０の全体剛性を向上させることができる。
【００２７】
なお、上述の実施形態では、キャビネット２０の背板２６が、フレーム状の背板用芯材をステンレス板で挟むステンレスサンドイッチ構造を有する。しかしながら、これに限定されることなく、キャビネット２０の背板２６の構造として、ステンレスサンドイッチ構造以外の適当な構造、たとえば単体パネル構造などを採用することができる。
【００２８】
また、上述の実施形態では、側板２３と前板２７との連結に際して、ほぼ鉛直方向に作用する第１補強部材３１とほぼ水平方向に作用する第２補強部材３２とを用いている。しかしながら、これに限定されることなく、側板２３と前板２７との連結構造や、側板２３と背板２６との連結構造について様々な変形例が可能である。
【図面の簡単な説明】
【００２９】
【図１】本発明の実施形態にかかる洗面化粧台の全体構成を概略的に示す斜視図である。
【図２】図１の中央縦断面図である。
【図３】（ａ）は洗面ボウルの平面図であり、（ｂ）は（ａ）の線Ａ−Ａに沿った断面図である。
【図４】（ａ）は図３（ａ）の線Ｂ−Ｂに沿った断面図であり、（ｂ）は図４（ａ）のＡ部の拡大図である。
【図５】側板用芯材の構成を概略的に示す図である。
【図６】側板用芯材の上端面の溝、外側ステンレス板の取付け状態、および側板と前板との連結などを示す斜視図である。
【図７】側板用芯材の外側を覆う外側ステンレス板の構成を概略的に示す図であって、（ａ）は外側ステンレス板を内側から見た正面図を、（ｂ）は側面図を、（ｃ）は上面図を示している。
【図８】外側ステンレス板を外側から見た正面図である。
【図９】キャビネットの一対の側板と背板と前板とを互いに連結する様子を示す図である。
【図１０】キャビネットの上に洗面ボウルを載置する様子を示す図である。
【図１１】（ａ）は洗面ボウルのリブを側板の溝に係合させる様子を示す図であり、（ｂ）は取付け板と洗面ボウルの先端部分とを連結する様子を示す図である。
【符号の説明】
【００３０】
１０  洗面ボウル
１１  洗面ボウル本体
１２  カウンター
１７  側板用リブ
２０  キャビネット
２１，２２  引出し収納部
２３  側板
２４  側板用芯材
２４ｂ  側板用芯材の溝
２５ａ，２５ｂ  ステンレス板
２６  背板
２７  前板
３１，３２  補強部材
【図１】
2008132191.tif 000003
【図２】
2008132191.tif 000004
【図３】
2008132191.tif 000005
【図４】
2008132191.tif 000006
【図５】
2008132191.tif 000007
【図６】
2008132191.tif 000008
【図７】
2008132191.tif 000009
【図８】
2008132191.tif 000010
【図９】
2008132191.tif 000011
【図１０】
2008132191.tif 000012
【図１１】
2008132191.tif 000013